(57)【要約】【課題】  軟磁性裏打ち層の磁区を安定化し、記録再生時の低ノイズ化を実現する。【解決手段】  磁気記録媒体に印可する前記磁気ディスク面内方向成分の最大外部磁界が、軟磁性裏打ち層面内方向のＭ−Ｈ曲線の第１象限で磁化が飽和する点（Ｈｓ，Ｍｓ）と縦軸との正の交点（０，Ｍｒ）とを結ぶ直線と、横軸との負の交点（−Ｈｃ，０）における接線との交点の磁界の絶対値Ｈｎよりも小さい。【選択図】      図１
2004213894.tif 000002
【特許請求の範囲】
【請求項１】
非磁性基板、該非磁性基板上に順に設けられた裏打ち層磁化固着層、軟磁性裏打ち層、及び垂直磁気記録層を有する垂直磁気記録媒体を具備することを特徴とする垂直磁気記録再生装置であって、
前記垂直磁気記録再生装置内部で発生する外部磁界において、前記垂直磁気記録媒体に印可される前記垂直磁気記録媒体面内方向成分の最大外部磁界が、前記軟磁性裏打ち層の面内方向のＭ−Ｈ曲線の第１象限で磁化が飽和する点（Ｈｓ，Ｍｓ）と縦軸との正の交点（０，Ｍｒ）とを結ぶ直線と、横軸との負の交点（−Ｈｃ，０）における接線との交点の磁界の絶対値Ｈｎよりも小さいことを特徴とする垂直磁気記録再生装置。
【請求項２】
前記垂直磁気記録媒体の記録領域最外周に印可する垂直磁気記録媒体面内方向成分の最大外部磁界が前記Ｈｎよりも小さいことを特徴とする請求項１に記載の垂直磁気記録再生装置。
【請求項３】
非磁性基板、該非磁性基板上に順に設けられた裏打ち層磁化固着層、軟磁性裏打ち層、及び垂直磁気記録層を有する垂直磁気記録媒体を具備する垂直磁気記録再生装置であって、
前記垂直磁気記録再生装置内部で発生する外部磁界において、前記垂直磁気記録媒体に印可される前記垂直磁気記録媒体面内方向成分の最大外部磁界が、前記軟磁性裏打ち層の面内方向のＭ−Ｈ曲線の第１象限で磁化が飽和する点（Ｈｓ，Ｍｓ）と縦軸との正の交点（０，Ｍｒ）とを結ぶ直線と、横軸との負の交点（−Ｈｃ，０）における接線との交点の磁界の絶対値Ｈｎよりも小さく、
前記垂直磁気記録媒体は、前記裏打ち層磁化固着層と前記軟磁性裏打ち層の磁化方向が交換結合相互作用により同一方向となっている領域を記録領域とし、該磁化方向が同一方向となっていない領域を非記録領域とすることを特徴とする垂直磁気記録再生装置。
【請求項４】
前記記録領域最外周に印可する垂直磁気記録媒体面内方向成分の最大外部磁界と、前記垂直磁気記録層の前記裏打ち層磁化固着層と前記軟磁性裏打ち層の磁化方向が同一方向となっていない部分の前記軟磁性裏打ち層の減磁界の和が、前記Ｈｎよりも小さいことを特徴とする請求項３に記載の垂直磁気記録再生装置。
【請求項５】
前記垂直磁気記録媒体の残留磁化をＭｒ、膜厚をｔ、前記軟磁性裏打ち層の保磁力をＨｃ、該垂直磁気記録媒体の記録領域の最外周に印可される外部磁界の面内方向成分をＨｅｘとしたとき、下記関係式（１）ないし（３）を満足することを特徴とする請求項３に記載の垂直磁気記録装置。
Ｍｒ／πμ0・（２・ｔａｎ-1（ｔ／（２ａ）＋１）−π）
＝（Ｈｃ＋Ｈｎ）／２＋Ｈｅｘ…（１）
Ｈｘｍ＝２・Ｍｒ／（πμ0）・ｔａｎ-1（（ｔ／４）／（ａ（ａ＋ｔ／２））1/2）…（２）
Ｈｘｍ＋Ｈｅｘ＜Ｈｎ…（３）
【発明の詳細な説明】
【技術分野】
【０００１】
本発明は、高密度記録技術として期待される垂直磁気記録方式を適用した垂直磁気記録再生装置に及びこれに用いられる磁気記録媒体に関する。
【背景技術】
【０００２】
面内磁気記録層と比較して、厚い記録層でも高密度で線方向の記録が可能な垂直磁気記録層は、面内磁気記録層より熱揺らぎ耐性に強い。特に、垂直磁気異方性を有する記録層の下に、高透磁率の軟磁性層を設けた垂直二層膜媒体は、ヘッドと軟磁性層の相互作用により、理想的な垂直記録がなされるため、より高密度記録に対応が可能である。しかし、記録媒体にこのような軟磁性層を設けると、たとえ弱い外部磁化であっても、ディスク回転中に軟磁性層の磁化が容易に変化し、記録信号の低下やノイズが発生することが知られている。
【０００３】
このような軟磁性層の磁化の変化を改善するため、例えば軟磁性層と基板との間に軟磁性層と交換結合を形成し一様な磁化を有する裏打ち層磁化固着層を設ける技術がある（例えば、特許文献１参照）。しかしながら、例えば磁気記録再生装置中にヘッド位置制御用のボイスコイルモータ等の大きい外部磁界が印可すると、裏打ち層磁化固着層と軟磁性層の磁化方向が同一方向とならず、軟磁性層の磁化が不安定となるという問題があった。
【特許文献１】特開平７−１２９９４６号公報
【発明の開示】
【発明が解決しようとする課題】
【０００４】
本発明の目的は、記録再生動作時の軟磁性裏打ち層の磁区を安定化し、低ノイズ化を実現し得る磁気記録再生装置を得ることにある。
【課題を解決するための手段】
【０００５】
本発明は、第１に、非磁性基板、該非磁性基板上に順に設けられた裏打ち層磁化固着層、軟磁性裏打ち層、及び垂直磁気記録層を有する垂直磁気記録媒体を具備することを特徴とする垂直磁気記録再生装置であって、
前記垂直磁気記録再生装置内部で発生する外部磁界において、前記垂直磁気記録媒体に印可される前記垂直磁気記録媒体面内方向成分の最大外部磁界が、前記軟磁性裏打ち層の面内方向のＭ−Ｈ曲線の第１象限で磁化が飽和する点（Ｈｓ，Ｍｓ）と縦軸との正の交点（０，Ｍｒ）とを結ぶ直線と、横軸との負の交点（−Ｈｃ，０）における接線との交点の磁界の絶対値Ｈｎよりも小さいことを特徴とする垂直磁気記録再生装置を提供する。
【０００６】
本発明は、第２に、非磁性基板、該非磁性基板上に順に設けられた裏打ち層磁化固着層、軟磁性裏打ち層、及び垂直磁気記録層を有する垂直磁気記録媒体を具備する垂直磁気記録再生装置であって、
前記垂直磁気記録再生装置内部で発生する外部磁界において、前記垂直磁気記録媒体に印可される前記垂直磁気記録媒体面内方向成分の最大外部磁界が、前記軟磁性裏打ち層の面内方向のＭ−Ｈ曲線の第１象限で磁化が飽和する点（Ｈｓ，Ｍｓ）と縦軸との正の交点（０，Ｍｒ）とを結ぶ直線と、横軸との負の交点（−Ｈｃ，０）における接線との交点の磁界の絶対値Ｈｎよりも小さく、
前記垂直磁気記録媒体は、前記裏打ち層磁化固着層と前記軟磁性裏打ち層の磁化方向が交換結合相互作用により同一方向となっている領域を記録領域とし、該磁化方向が同一方向となっていない領域を非記録領域とすることを特徴とする垂直磁気記録再生装置を提供する。
【発明の効果】
【０００７】
本発明によれば、磁気記録媒体に使用される軟磁性裏打ち層の磁区を安定化することが可能となり、記録再生を繰り返しても低ノイズで安定した記録が可能な磁気記録再生装置が得られる。
【発明を実施するための最良の形態】
【０００８】
本発明の第１の観点にかかる垂直磁気記録再生装置は、非磁性基板、非磁性基板上に順に設けられた裏打ち層磁化固着層、軟磁性裏打ち層、及び垂直磁気記録層を有する垂直磁気記録媒体と、垂直磁気記録媒体を支持及び回転駆動する駆動手段と、垂直磁気記録媒体に対して情報の記録を行うための素子、及び記録された情報の再生を行うための素子を有する磁気ヘッドと、磁気ヘッドを垂直磁気記録媒体に対して移動自在に支持したキャリッジアッセンブリとを具備し、
磁気記録媒体に印可する磁気記録媒体面内方向成分の最大外部磁界が、軟磁性裏打ち層面内方向のＭ−Ｈ曲線の第１象限で磁化が飽和する点（Ｈｓ，Ｍｓ）と縦軸との正の交点（０，Ｍｒ）とを結ぶ直線と、横軸との負の交点（−Ｈｃ，０）における接線との交点の磁界の絶対値Ｈｎよりも小さい。
【０００９】
本発明によれば、磁気記録媒体に印可する磁気記録媒体面内方向成分の最大外部磁界がＨｎよりも小さいことにより、軟磁性裏打ち層の磁化は飽和磁化の値を保った状態で推移するため、Ｍ−Ｈ曲線がマイナーループにならない。よって、軟磁性裏打ち層と軟磁性磁化固着層は、交換結合相互作用によりその磁化方向が同一方向となる。
【００１０】
本発明の第２の観点にかかる垂直磁気記録再生装置は、非磁性基板、非磁性基板上に順に設けられた裏打ち層磁化固着層、軟磁性裏打ち層、及び垂直磁気記録層を有する垂直磁気記録媒体と、垂直磁気記録媒体を支持及び回転駆動する駆動手段と、垂直磁気記録媒体に対して情報の記録を行うための素子、及び記録された情報の再生を行うための素子を有する磁気ヘッドと、磁気ヘッドを垂直磁気記録媒体に対して移動自在に支持したキャリッジアッセンブリとを具備し、
垂直磁気記録媒体は、裏打ち層磁化固着層と軟磁性裏打ち層の磁化方向が交換結合相互作用により同一方向となっている領域を記録領域とし、この磁化方向が同一方向となっていない領域を非記録領域とする。
【００１１】
本発明の第２の観点によれば、記録領域周縁で、外部磁界により、裏打ち層磁化固着層と軟磁性裏打ち層の磁化方向が同一方向とならない領域を予め非記録領域とすることにより、記録領域における裏打ち層磁化固着層と軟磁性裏打ち層の磁化方向を同一方向にせしめ、ノイズの発生を防止することができる。
【００１２】
以下、図面を参照し、本発明をより詳細に説明する。
【００１３】
図１は、本発明にかかる垂直磁気記録再生装置の一例の概要を表す図を示す。
【００１４】
図示するようにこの垂直磁気記録再生装置２０は、筐体１１内に垂直磁気ディスク１２、磁気ヘッド１３、ヘッドサスペンション１４、ヘッド位置制御用のボイスコイルモータ１５が設けられている。
【００１５】
垂直磁気ディスク１２は、アルミニウムまたは強化ガラスなどからなる基板上に、少なくとも裏打ち層磁化固着層、軟磁性裏打ち層、垂直磁気記録層、及び表面保護層を積層した構造を有する。この積層体には、必要に応じて中間制御層を加えることができる。このような磁気ディスクに要求される特性の１つとして、メディアノイズが少ないことが挙げられる。具体的にはスパイクノイズを発生させることがなく、且つ有色広帯域ノイズが全体的に少なく、周波数特性が小さいことが必要となる。しかし、磁気ディスクの裏打ち層は保磁力Ｈｃの小さい軟磁性体であるため、外部磁界の影響を受けて磁壁を形成しやすい傾向がある。ヘッドが磁壁の上を通過すると再生信号出力にスパイクノイズができるため、軟磁性裏打ち層に磁壁ができにくい構造にすることが望まれている。
【００１６】
また、ボイスコイルモータ１５には、例えばＮｂ−Ｆｅ−Ｂ系磁石が使用されており、磁石の強さは約４０００ガウスである。この磁石による強い磁場がかからないように、垂直磁気ディスク１２は、ボイスコイルモータ１５と約３ｍｍ以上好ましくは４ｍｍないし１０ｍｍの間隔をおいて設けられている。
【００１７】
軟磁性裏打ち層に磁壁ができにくい構造として、主に２つの構造が提案されている。１つは軟磁性裏打ち層を微粒子化する構造、もう１つは裏打ち層磁化固着層を積層することで軟磁性裏打ち層の磁化を一定方向に固着する構造である。
【００１８】
本発明では、後者の構造を利用する。
【００１９】
裏打ち層磁化固着層は、一般的に硬磁性体でありＨｃは大きいため、常識的に考えられる大きさの外部磁界が印可しても磁化方向が反転することはない。このため、意図的に大きな磁界を印可することで裏打ち層磁化固着層の磁化を一定方向に揃えると、磁化は長期間一定方向を保つことになる。たとえば、成膜後に磁気ディスク半径方向に裏打ち層磁化固着層のＨｃよりも大きい外部磁界を印可すると、裏打ち層磁化固着層の磁化は磁界印可方向に揃い、その後、長期間同方向を向く。裏打ち層磁化固着層と軟磁性裏打ち層が接しているか、あるいはその影響を与える範囲内にあると、２つの層に交換結合相互作用が働いて、互いの磁化は同方向を向く。軟磁性磁化固着層の磁化方向は印可磁界により制御できるため、軟磁性裏打ち層の磁化方向も制御できる。
【００２０】
図２に、軟磁性裏打ち層と表面保護層を形成したディスクの一例のオプティカル・サーフェス・アナライザーによる測定図を示す。この測定図は、ディスク面内方向成分の磁化の向きをＫｅｒｒ効果を利用したオプティカル・サーフェス・アナライザー（ＯＳＡ）で観察したものであり、その色調が変化しているところで磁化反転が起きており、磁壁１が形成されていることが分かる。図２により、このディスクは全周にわたって磁壁１が確認でき、特に外周ではエッジの影響から多くの磁壁１が確認できる。軟磁性裏打ち層は、Ｈｃが低いためにこのように磁化反転を起こしやすく、磁壁を形成しやすいことが分かる。
【００２１】
図３に、基板上に裏打ち層磁化固着層、軟磁性裏打ち層、及び表面保護層を有するディスクのＯＳＡによる測定図を示す。裏打ち層磁化固着層の磁化は、意図的にＨｃよりも大きな外部磁界を印可することで一様に半径方向を向いているため、交換結合により軟磁性裏打ち層の磁化も裏打ち層磁化固着層と同方向、すなわち半径方向を向いている。よって本発明に用いられる磁気ディスクの軟磁性裏打ち層は、裏打ち層磁化固着層と軟磁性裏打ち層の磁化方向が同一にならなくなるような大きな外部磁界が印可されない限り、磁壁を形成しないことが分かる。
【００２２】
図３と同様のディスクをドライブで回転させた後のＯＳＡによる測定図を表す写真を図４及び図５に示す。但し、図４に示すディスクは、その磁化の方向をディスク外周から内周に向け、図５に示すディスクは、その磁化の方向をディスク内周から外周に向けたものである。このとき、ヘッドのロードなどは行っていない。図４では回転させる前と変化がないが、図５では外周で円周状に磁壁１’が確認できる。これはボイスコイルモータのマグネットから磁気ディスクに印可する磁界の長手方向成分により、軟磁性裏打ち層と裏打ち層磁化固着層の磁化方向が同一にならなくなったためである。図４、図５に示した磁気ディスクの違いは裏打ち層磁化固着層の磁化方向である。図５の磁気ディスクのみ軟磁性裏打ち層と裏打ち層磁化固着層の磁化方向が同一にならなくなった原因は、軟磁性裏打ち層の磁化方向とボイスコイルモータの磁界の長手方向成分が逆方向を向いていたためである。
【００２３】
以上から裏打ち層磁化固着層を有する磁気ディスクを用いた垂直磁気記録装置では、ボイスコイルモータの磁界の長手方向成分と軟磁性裏打ち層の磁化方向を揃えることが、軟磁性裏打ち層の磁壁形成を防ぐ有効な手段となることがわかる。しかしながら、垂直磁気記録再生装置では磁気ディスクを複数枚用いる場合もあり、全ての磁気ディスクの軟磁性裏打ち層の磁化とボイスコイルモータの漏れ磁界の方向を揃えることは難しい。可能だとしても、裏打ち層磁化固着層と軟磁性裏打ち層の磁化方向が異なる２種類の磁気ディスクを用意しなければならず、コストの面での問題も新たに発生する。
【００２４】
このため、現実的には、ボイスコイルモータの漏れ磁界を抑えること、または軟磁性裏打ち層と裏打ち層磁化固着層の磁化方向を同一にすること、及びボイスコイルモータの漏れ磁界の方向と軟磁性裏打ち層の磁化方向が逆方向でも裏打ち層磁化固着層と軟磁性裏打ち層の磁化方向が同一方向となる構造にすることが重要であると考えられる。
【００２５】
軟磁性裏打ち層と裏打ち層磁化固着層は、交換結合相互作用により、その磁化方向が同一になっており、外部磁界により、垂直磁気記録層の軟磁性裏打ち層と裏打ち層磁化固着層の磁化方向の一部が同一でなくなると、そこから生じる交換結合磁界により、さらに広範囲にわたって磁化方向が揃わなくなり易い。本発明者らは、まず、垂直磁気記録層のたとえ一部分でも軟磁性裏打ち層と裏打ち層磁化固着層の磁化方向が同一でなくなることの防止を試みた。
【００２６】
図６に、軟磁性裏打ち層の面内方向のＭ−Ｈ曲線図を示す。
【００２７】
図示するように、このＨｎは、少なくとも軟磁性裏打ち層面内方向のＭ−Ｈ曲線１０１の第１象限で磁化が飽和する点（Ｈｓ，Ｍｓ）と縦軸との正の交点（０，Ｍｒ）とを結ぶ直線１０２と、横軸との負の交点（−Ｈｃ，０）における接線１０３との交点の磁界の絶対値を含む。また、直線１０２と直線１０３の交点の磁界よりも大きい外部磁界Ｈｎ’が印可されて、磁化がＭｓよりも小さくなった場合でも、再びＨｎ以下の磁界が印可された場合に元の飽和磁化Ｍｓまで回復するのであれば、広義では、このＨｎ’も本発明に用いられるＨｎの範囲に含まれる。
【００２８】
以上のことから、磁気ディスクの軟磁性裏打ち層に磁壁ができないためには、磁気ディスク全面で軟磁性裏打ち層と裏打ち層磁化固着層の磁化方向が同一となることが望ましい。そのため、本発明の第１の観点によれば、磁気ディスクに印可する外部磁界の最大値が軟磁性裏打ち層のＨｎよりも小さい。これを満たせば、軟磁性裏打ち層の磁化は飽和磁化の値と保った状態で推移するため、Ｍ−Ｈループもマイナーループにならない。よって、軟磁性裏打ち層と軟磁性磁化固着層の交換結合は強い状態を保っているため、磁化の方向が同一にならないということはない。
【００２９】
また、磁気ディスクでは、軟磁性裏打ち層と軟磁性磁化固着層の磁化方向の一部分が揃わないとそこから生じる交換結合磁界により広範囲にわたって磁化方向が同一にならなくなる。このため、ディスクの一部分でも磁化方向が同一方向とならないことを防ぐことが重要である。このことから、磁気ディスクに印可する磁気ディスク面内方向成分の最大磁界が最も大きくなると考えられる最外周で、印可される磁気ディスク面内方向成分の最大外部磁界が軟磁性裏打ち層のＨｎよりも小さいことが好ましい。これにより、軟磁性裏打ち層に磁壁はできなくなる。
【００３０】
磁気記録再生装置において、データは磁気ディスクの記録領域（データゾーン）に記録される。そのため、データゾーン以外で軟磁性裏打ち層に磁壁ができたとしても、再生には悪影響を与えない。このようなことから、本発明の第２の観点によれば、磁化方向が交換結合相互作用により同一方向となっている領域を記録領域とし、磁化方向が同一方向となっていない領域領域を非記録領域とする。
【００３１】
また、本発明者らは、磁気ディスク最外周で、データゾーン最外周で磁化方向が同一方向とな条件を考えることができる。図５から、交換結合相互作用による磁化の方向が同一ではなくなった磁気ディスクのＨｎは約５０Ｏｅ程度であることがわかった。しかし、別の実験で、この半径位置にはボイスコイルモータからの外部磁界は約２５Ｏｅしか印可しないことも確認されている。これから、外部磁界以外の作用も磁化の方向を同一ではなくする要素となっていると考えられる。
【００３２】
次に、本発明者らは、磁気ディスクの磁化の方向が同一ではない箇所の状態を考慮した。この箇所の軟磁性裏打ち層の磁化方向は、交換結合相互作用により裏打ち層磁化固着層と軟磁性裏打ち層の磁化方向が同一となっている箇所に対し、逆方向となる。そのために、磁化方向が同一となっていない軟磁性裏打ち層の磁化による減磁界も磁化方向が同一方向と成らない方向に作用する。このため、一部分でも磁化方向が同一となっていない磁気ディスクでは、磁化方向が同一となっていない裏打ち層の減磁界の影響により、それより内周側では外部磁界よりＨｎが大きくても磁化方向が同一とならない可能性がある。従って、この減磁界を考慮すると、データゾーン最外周の磁化方向が同一となるには、データゾーン最外周の最大印可磁界と磁化方向が同一方向ではない箇所の軟磁性裏打ち層の減磁界の和がＨｎ以下となることが望ましい。
【００３３】
このようなことから、軟磁性裏打ち層の減磁界Ｈｘｍについて考慮する。まず、単一反転磁化の減磁界Ｈ（ｘ）［Ａ／ｍ］は、残留磁化をＭｒ、膜厚をｔ［ｍ］、磁化反転係数をａ、磁化反転位置からの距離をｘとすると、下記式（１）
Ｈ（ｘ）＝Ｍｒ／πμ0・（ｔａｎ-1（（ｔ／２＋ａ）／ｘ）−ｔａｎ-1（（−ｔ／２−ａ）／ｘ）−２、ｔａｎ-1（ａ／ｘ））    …（１）
で表される。
【００３４】
また、磁化反転距離ａだけ磁化反転位置から離れた所での磁化Ｈ（ａ）は、Ｍｒ／２であり、図６に示すＭ−Ｈ曲線を平行四辺形とみなすと、残留磁化がＭｒ／２となる磁界は（Ｈｃ＋Ｈｎ）／２である。よって、Ｈ（ａ）は、下記式（２）で表される。
【００３５】
Ｈ（ａ）＝（Ｈｃ＋Ｈｎ）／２    …（２）
上記式（１）及び（２）より、下記式（３）を導出することができる。
【００３６】
Ｈ（ａ）＝Ｍｒ／πμ0・（ｔａｎ-1（（ｔ／２＋ａ）／ａ）−ｔａｎ-1（（−ｔ／２−ａ）／ａ）−２・ｔａｎ-1（ａ／ａ））
＝Ｍｒ／πμ0・（２・ｔａｎ-1（ｔ／（２ａ）＋１）−π）
＝（Ｈｃ＋Ｈｎ）／２    …（３）
また、Ｈ（ｘ）の極大値Ｈｘｍは、下記式（４）で表される。
【００３７】
Ｈｘｍ＝２・Ｍｒ／（πμ0）・ｔａｎ-1（（ｔ／４）／（ａ（ａ＋ｔ／２））1/2）    …（４）
上記式（３）及び（４）より単一反転磁化の減磁界Ｈｘｍを導出することができる。磁気ディスクに印可される磁界は、減磁界Ｈｘｍと外部磁界Ｈｅｘの和となり、Ｈｅｘ＋Ｈｎが最大となる場合でも、Ｈｎよりも小さいことが必要となることから下記式（５）で表される。
【００３８】
Ｈｘｍ＋Ｈｅｘ＜Ｈｎ    …（５）
よって、Ｈｅｘが上記式（５）を満たす大きさとなるならば、非記録領域に裏打ち層磁化固着層と軟磁性裏打ち層の磁化方向が同一方向ではない部分を有する磁気ディスクでも、記録領域では裏打ち層磁化固着層と軟磁性裏打ち層の交換結合相互作用が失われることはない。
【図面の簡単な説明】
【００３９】
【図１】本発明にかかる垂直磁気記録再生装置の一例の概要を表す図
【図２】軟磁性裏打ち層と表面保護層を形成したディスクの一例のオプティカル・サーフェス・アナザイザーによる測定図を表す写真
【図３】裏打ち層磁化固着層、軟磁性裏打ち層、及び表面保護層を有するディスクのＯＳＡによる測定図を表す写真
【図４】図３と同様のディスクをドライブで回転させた後のＯＳＡによる測定図を表す写真
【図５】図３と同様のディスクをドライブで回転させた後のＯＳＡによる測定図を表写真
【図６】軟磁性裏打ち層の面内方向のＭ−Ｈ曲線図
【符号の説明】
【００４０】
１，１’…磁壁、１１…筐体、１２…垂直磁気ディスク、１３…磁気ヘッド、１４…ヘッドサスペンション、１５…ボイスコイルモータ、２０…垂直磁気記録再生装置
【図１】
2004213894.tif 000003
【図２】
2004213894.tif 000004
【図３】
2004213894.tif 000005
【図４】
2004213894.tif 000006
【図５】
2004213894.tif 000007
【図６】
2004213894.tif 000008